(57)【特許請求の範囲】
【請求項１】
閉鎖姿勢の開き戸用の戸体の戸当り位置となる戸当たり面を境にして、室内側見込み面、室内側見付け面が形成された室内側の第一戸枠面と、室外側見込み面、室外側見付け面が形成された室外側の第二戸枠面とが設けられ、
戸体が閉鎖した状態で、戸当たり面が戸体室内側表面板の左右方向端面部に対向し、かつ室外側見込み面が戸体左右方向端面板に対向するが、室内側見付け面、室内側見込み面および室外側見付け面は戸体に対向することがない設定の戸枠において、
前記第一、第二戸枠面の表面を、火災時の熱を受けて発泡する発泡性耐火材を設けて被覆すると共に、
該発泡性耐火材の表面を、第一戸枠面に対応する第一表面板と第二戸枠面に対応する第二表面板とで二分割するようにして被覆したことを特徴とする開き戸用の戸枠構造。
【請求項２】
戸当り面の表面にも発泡性耐火材が設けられ、該戸当り面部位の発泡性耐火材の表面は第三表面板で被覆されていることを特徴とする請求項１記載の開き戸用の戸枠構造。
【請求項３】
第三表面板は、第一、第二表面板から独立しているか、第一、第二表面板の何れか一方に連続して設けられていることを特徴とする請求項２記載の開き戸用の戸枠構造。
【請求項４】
第一、第二表面板は、前記戸枠の各見込み面と見付け面とのあいだの折曲部位に対応する部位が連結された一連状のものでそれぞれ形成されていることを特徴とする請求項１乃至３の何れか１記載の開き戸用の戸枠構造。
【請求項５】
発泡性耐火材は、第一戸枠面、戸当り面、第二戸枠面の表面に連続する状態で設けられていることを特徴とする請求項１乃至４の何れか１記載の開き戸用の戸枠構造。
【請求項６】
戸当り面に設けた発泡性耐火材は、発泡することで戸当り面と戸体室内側表面板の左右方向端面部とのあいだに形成される隙間を塞ぎ、室外側見込み面に設けた発泡性耐火材は、発泡することで室外側見込み面と戸体左右方向端面板とのあいだに形成される隙間を塞ぐことを特徴とする請求項２〜５の何れか１記載の開き戸用の戸枠構造。
【発明の詳細な説明】
【技術分野】
【０００１】
本発明は、建造物の出入り口等の開口部に建て付けられる開き戸用の戸枠構造の技術分野に関するものである。
【背景技術】
【０００２】
今日、出入口等の開口部に開き戸を建て付けることがあるが、この場合、躯体側には戸枠を取付けることになる。このような戸枠の中には遮熱性を要求されるものがあり、そこで戸枠の中に、火災の熱を受けて発泡する発泡性耐火材を設け、火災発生に伴い発泡した発泡性耐火材により遮熱するようにして熱が非火災発生側に伝達するのを防止するようにしたものが知られている（例えば特許文献１参照。）。
【先行技術文献】
【特許文献】
【０００３】
【特許文献１】特許第５１７４８９７号公報
【発明の概要】
【発明が解決しようとする課題】
【０００４】
ところが前記従来の戸枠は、鋼鉄やステンレス等の金属材を用いて一体物として構成された状態で室内外に渡って設けられるものであるから、この戸枠内に発泡性耐火材を配設して火災発生時の遮熱をしようとしても、熱は、戸枠を伝わって非火災発生側に直接伝達してしまい、遮熱性が早期のうちに損なわれる、という問題がある。
そこで発泡性耐火材を戸枠の外面に設け、火災発生に伴い発泡した発泡性耐火材で戸枠を覆うようにして遮熱性を高めるようにすることが提唱されるが、発泡性耐火材は、金属材のように強度がないため、物がぶつかったりして破損しやすいだけでなく、外観も損なうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、閉鎖姿勢の開き戸用の戸体の戸当り位置となる戸当たり面を境にして、室内側見込み面、室内側見付け面が形成された室内側の第一戸枠面と、室外側見込み面、室外側見付け面が形成された室外側の第二戸枠面とが設けられ、戸体が閉鎖した状態で、戸当たり面が戸体室内側表面板の左右方向端面部に対向し、かつ室外側見込み面が戸体左右方向端面板に対向するが、室内側見付け面、室内側見込み面および室外側見付け面は戸体に対向することがない設定の戸枠において、前記第一、第二戸枠面の表面を、火災時の熱を受けて発泡する発泡性耐火材を設けて被覆すると共に、該発泡性耐火材の表面を、第一戸枠面に対応する第一表面板と第二戸枠面に対応する第二表面板とで二分割するようにして被覆したことを特徴とする開き戸用の戸枠構造である。
請求項２の発明は、戸当り面の表面にも発泡性耐火材が設けられ、該戸当り面部位の発泡性耐火材の表面は第三表面板で被覆されていることを特徴とする請求項１記載の開き戸用の戸枠構造である。
請求項３の発明は、第三表面板は、第一、第二表面板から独立しているか、第一、第二表面板の何れか一方に連続して設けられていることを特徴とする請求項２記載の開き戸用の戸枠構造である。
請求項４の発明は、第一、第二表面板は、前記戸枠の各見込み面と見付け面とのあいだの折曲部位に対応する部位が連結された一連状のものでそれぞれ形成されていることを特徴とする請求項１乃至３の何れか１記載の開き戸用の戸枠構造である。
請求項５の発明は、発泡性耐火材は、第一戸枠面、戸当り面、第二戸枠面の表面に連続する状態で設けられていることを特徴とする請求項１乃至４の何れか１記載の開き戸用の戸枠構造である。
請求項６の発明は、戸当り面に設けた発泡性耐火材は、発泡することで戸当り面と戸体室内側表面板の左右方向端面部とのあいだに形成される隙間を塞ぎ、室外側見込み面に設けた発泡性耐火材は、発泡することで室外側見込み面と戸体左右方向端面板とのあいだに形成される隙間を塞ぐことを特徴とする請求項２〜５の何れか１記載の開き戸用の戸枠構造である。
【発明の効果】
【０００６】
請求項１の発明とすることにより、火災発生時に、戸枠表面に設けた火災発生側の発泡性耐火材が発泡することになって遮熱性が向上することになるが、この場合に、発泡性耐火材の表面を被覆する表面板があることで、発泡性耐火材の保護が図れると共に外観を損なうことがないものでありながら、該表面板が、戸当り面部位を境にして室内外に分割しているから、火災発生側の発泡性耐火材が発泡することに伴う表面板の変形が、変形が少ないか変形の無い非火災発生側の表面板に影響を及ぼすことがないことになって発泡性耐火材の発泡機能が損なわれることがなく、確実な遮熱機能が発揮されることになる。
請求項２の発明とすることにより、戸当り面部位においても遮熱機能が発揮されることになる。
請求項３の発明とすることにより、戸当り面部位における表面板が、室内外の第一、第二表面板とは独立したものとなって、第一、または第二表面板の変形に影響を及ぼすことがないか、戸当り面部位の表面板を第一又は第二表面板の取付けと同時にできることになって施工性の良いものとなる。
請求項４の発明とすることにより、第一、第二表面板は、前記見込み面と見付け面とのあいだのＬ字形に折曲された部位が連結された一連状のものとなる。
請求項５の発明とすることにより、発泡性耐火材は、第一戸枠面、戸当り面、第二戸枠面の表面に連続する状態で設けられたものになる。
請求項６の発明とすることにより、戸当り面に設けた発泡性耐火材は、発泡することで戸当り面と戸体室内側表面板の左右方向端面部とのあいだに形成される隙間を塞ぎ、室外側見込み面に設けた発泡性耐火材は、発泡することで室外側見込み面と戸体左右方向端面板とのあいだに形成される隙間を塞ぐことになる。
【図面の簡単な説明】
【０００７】
【図１】戸体の正面図である。
【図２】（Ａ）は火災発生前、（Ｂ）（Ｃ）は火災発生後の発泡性耐火材の状態を示す水平断面図である。
【図３】（Ａ）（Ｂ）（Ｃ）（Ｄ）（Ｅ）は第二〜第六の実施の形態を示す戸枠の水平断面図である。
【発明を実施するための形態】
【０００８】
以下、本発明の実施の形態について、図面に基づいて説明する。図面において、１は開き戸用の戸体であって、該戸体１は蝶番２を介して本発明が実施された戸枠３に開閉自在に建て付けられていること等は何れも従来通りである。
【０００９】
戸枠３は、左右縦枠が平面視において左右方向内方に向けて段差状に折曲しており、この段差面が戸体１の戸当り位置である戸当り面３ａとなっている。いま、戸体１が室外側開きのものであるとすると、戸枠３は、図２において、室内側見付け面３ｂ、室内側見込み面３ｃ、前記戸当り面３ａ、室外側見込み面３ｄ、室外側見付け面３ｅとなり、室内側見付け面３ｂ、室内側見込み面３ｃが第一戸枠面、室外側見込み面３ｄ、室外側見付け面３ｅが第二戸枠面に相当するが、この定義は逆であってもよい。
そして図２から明らかなように、戸枠３は、戸体１の閉鎖状態で、戸当たり面３ａが戸体１の室内側表面板１ｂの左右端面部に対向し、室外側見込み面３ｄが戸体１の左右方向端面板１ａに対向しているが、室内側見付け面３ｂ、室内側見込み面３ｃおよび室外側見付け面３ｅは、何れも戸体１には対向していない露出状態になっているものである。
【００１０】
４は火災の熱を受けて例えば１０〜２０倍発泡する発泡性耐火材（この発泡性耐火材としては、特許第５３０１３３５号公報に記載されるものを例示することができる。）であって、シート状に形成されており、該発泡性耐火材４が、前記枠体３の各面３ａ〜３ｅの表面に設けられている。そして発泡性耐火材４の表面に化粧鋼板等の板材からなる表面板５が設けられるが、この表面板５は、室内側見付け面３ｂ、室内側見込み面３ｃに設けた発泡性耐火材４の範囲の第一表面板５ａと、戸当り面３ａに設けた発泡性耐火材４の第三表面板５ｃとが一連状に連続したものであり、さらに、室外側見込み面３ｄ、室外側見付け面３ｅに設けた発泡性耐火材４の範囲の第二表面板５ｂを備えた二つに分割されたものとなって構成されるが、第三、第二表面板５ｃと５ｂの対向端は、僅かではあるが互いに離間する（隙間がある）ようになっている。そして戸体１は、戸枠３の室外側見込み面３ｄと戸体１の左右方向端面板１ａとのあいだに隙間（チリ）Ｓ１と、戸枠３の戸当り面３ａと戸体１の室内側表面板１ｂとのあいだに隙間（チリ）Ｓ２とを有するようにして設けられている。
因みに、本実施の形態では、戸枠３の蝶番２等の部品取付け部位は発泡性耐火材４が設けられていないが、設けることができる場合には設けてもよいことは勿論である。
【００１１】
叙述の如く構成された本実施の形態において、火災の無い平常時においては、戸枠３の表面に設けた発泡性耐火材４は、表面板５に被覆されているため、外観を損なうことがないだけでなく、物がぶつかって破損することが防止される。このような状態において、今、室内側で火災が発生した場合、図２（Ｂ）に示すように、室内側見付け面３ｂ、室内側見込み面３ｃ、そして戸当り面３ａ部位の発泡性耐火材４が発泡することとなって、室内側見付け面３ｂ、室内側見込み面３ｃ、戸当り面３ａが火災（熱）に対して遮熱されることになり、遮熱性が向上するが、この場合、当初は、表面板５のうち、室内側の第一表面板５ａと第三表面板５ｃが変形することになって、室外側の第二表面板５ｂは第一、第三表面板５ａ、５ｃの変形に追随して変形することがない。このため第一、第三表面板５ａ、５ｃの円滑な変形を、変形がないか僅かに変形する第二表面板５ｂで妨げることがなく、室内側の発泡性耐火材４の発泡が邪魔されない。
【００１２】
しかもこのものでは、戸当り面３ａにおいても発泡性耐火材４が設けられて発泡性耐火材４が発泡することになって第一表面板５ａと共に第三表面板５ｃも変形することになって前述したように遮熱性が向上するが、この場合、戸当り面３ａ部位の発泡した発泡性耐火材４が、第三表面板５ｃと共に戸当り面３ａと戸体１の室内側表面板１ｂとのあいだの隙間Ｓ２を塞ぐことになるから、該隙間Ｓ２を通って炎が非火災発生側である室外に及んでしまうことがなく、防火性が向上する。
さらにこの場合、第二表面板５ｂと第三表面板５ｃとの対向端が離間しているため、火災の熱が第三表面板５ｃから第二表面板５ｂに伝わることを防止できることになって遮熱性の向上が図れる。因みに、第二表面板５ｂと第三表面板５ｃとの対向端を当接した場合には発泡性耐火材４が外観視されないことになるため外観性の向上を図ることができ、この場合、第三表面板５ｃが発泡性耐火材４の発泡による変形で熱が伝達される前に第二表面板５ｂから離間することになり、遮熱性の維持が図れることになる。
【００１３】
また室外側で火災が発生した場合、図２（Ｃ）に示す如く、室外側見込み面３ｄ、室外側見付け面３ｅ部位の発泡性耐火材４が発泡することになって、該室外側見込み面３ｄ、室外側見付け面３ｅが火災（熱）から遠ざけられることになり、この場合においても同様にして遮熱性が向上する。そしてこの場合には、室外側見込み面３ｄ部位の発泡性耐火材４が発泡することで、該部位の第二表面板５ｂおよび発泡性耐火材４が、戸枠３の室外側見込み面３ｄと戸体１の左右方向端面板１ａとのあいだの隙間Ｓ１を塞ぐことになり、炎が室内側に及ぶことを防止でき、防火性が向上する。
【００１４】
尚、本発明は前記実施の形態に限定されるものでないことは勿論であって、例えば図３（Ａ）（Ｂ）の第二、第三の実施の形態のものは戸当り面３ａに発泡性耐火材４がないものであり、これらのものにおいて、第一、第二表面板５ａ、５ｂの戸当り面３ａ側端縁を、図３（Ａ）の第二の実施の形態のものは切り離し状態のものであり、（Ｂ）の第三の実施の形態のものは折り返し状にしたものであり、この場合、折返し内面５ｄを戸枠面から離間する（隙間がある）状態にしておけば、より遮熱性の優れたものとなる。勿論、離間することなく当接したものとしても実施することができ、例えば火災の熱による発泡性耐火材４の発泡が比較的低温で行われる場合には、早期のうちに折返し内面５ｄが戸枠面から離間することになって遮熱性が損なわれる恐れがない。
また図３（Ｃ）（Ｄ）（Ｅ）の第四、第五、第六の実施の形態のものは、第一の実施の形態のものと同様、戸当り面３ａに発泡性耐火材４を設けたものであるが、該戸当り面３ａ部位の第三表面板５ｃについて、（Ｃ）のものは第二表面板５ｂと連続するようにしたものであり、また（Ｄ）のものは第三表面板５ｃを、第一、第二表面板５ａ、５ｂとは独立した別物として設けたもの、（Ｅ）のものは第三表面板５ｃのないものであり、このようにすることにより、第一、または第二表面板５ａ、５ｂの変形が戸当り面３ａ部位の第三表面板５ｃに影響されることがない。さらに（Ｅ）の第六の実施の形態のものは、第一表面板５ａを戸当り面３ａ部位の一部まで至らしめたものであり、このようにすることで、第三表面板５ｃのないものであっても、戸体１を閉めたとき、戸体１が戸当り面３ａ部位の発泡性耐火材４に直接当接してしまうことを防止することができる。
さらに本発明は、前記実施の形態にように左右縦枠についてだけでなく、上枠、沓摺（下枠）についても同様に実施することができることはいうまでもない。
【産業上の利用可能性】
【００１５】
本発明は、遮熱性の優れた開き戸用の戸枠構造として利用することができる。
【符号の説明】
【００１６】
１  戸体
１ａ  左右方向端面板
１ｂ  室内側表面板
３  戸枠
３ａ  戸当り面
３ｂ  室内側見付け面（第一戸枠面）
３ｃ  室内側見込み面（第一戸枠面）
３ｄ  室外側見込み面（第二戸枠面）
３ｅ  室外側見付け面（第二戸枠面）
４  発泡耐火材
５  表面板
５ａ  第一表面板
５ｂ  第二表面板
５ｃ  第三表面板
Ｓ１  戸枠室外側見込み面と戸体左右方向端面板とのあいだの隙間
Ｓ２  戸枠戸当り面と戸体室内側表面板とのあいだの隙間
【図１】
0006735153.tif 000002
【図２】
0006735153.tif 000003
【図３】
0006735153.tif 000004